(57)【要約】  エレクトロポレーション装置は、複数のバッテリーセルを含むバッテリーパック及び、回路基板と電気通信する少なくとも１つのリードを有する。バッテリーパックは、１つのリードと電気通信するバッテリーセルを選択的に配置するための安全スイッチ及び制御装置を含む。制御装置は、制御装置が１つまたは複数の運転状態を検出する際に、制御装置がバッテリーセルからリードを電気的に分離するように安全スイッチに指示するように、安全スイッチと連動する。バッテリーパックも手動スイッチを含み、スイッチの作動により、制御装置が、バッテリーセルからリードを電気的に分離するように安全スイッチに指示する。【選択図】図１
2019506921.tif 000002
【特許請求の範囲】
【請求項１】
エレクトロポレーション装置のハンドセットであって、
その中の容積を画定するハウジングと、
前記容積内に少なくとも部分的に位置する回路基板と、
前記ハウジングから延在し、前記回路基板と電気通信する電極と、
バッテリーパックであって、
バッテリーパックハウジングと、
前記バッテリーパックハウジング内に位置する複数のバッテリーセルと、
前記回路基板と電気通信する第１のパワーリードと、
前記複数のバッテリーセルに接合され、前記回路基板と電気通信する第２のパワーリードと、
前記バッテリーパックハウジング内に位置し、前記第１のパワーリードと前記複数のバッテリーセルとの間で接合される安全スイッチであって、前記複数のバッテリーセルが前記第１のパワーリードと電気通信するオン状態と、前記複数のバッテリーセルが前記第１のパワーリードと電気通信していないオフ状態との間で調節可能である前記安全スイッチと、
を含む、前記バッテリーパックと、
を備える、ハンドセット。
【請求項２】
前記バッテリーパックが前記容積内に少なくとも部分的に位置する、請求項１に記載のハンドセット。
【請求項３】
前記ハウジングが、上部と、前記上部から延在するハンドル部と、を含み、前記バッテリーパックが前記ハウジングの前記ハンドル部内に少なくとも部分的に位置する、請求項１に記載のハンドセット。
【請求項４】
前記ハウジングが、上部と、前記上部から延在するハンドル部と、を含み、前記エレクトロポレーション装置の重心が前記上部と前記ハンドル部との交差部の近位に位置する、請求項１に記載のハンドセット。
【請求項５】
複数の運転状態を検出するよう構成された制御装置を前記バッテリーパックがさらに含み、前記制御装置が、前記運転状態に少なくとも部分的に基づいて、オン状態とオフ状態との間で前記安全スイッチを調節する、請求項１に記載のハンドセット。
【請求項６】
前記運転状態が、過昇温度状態、過電流状態、過電圧状態、及び不足電圧状態の少なくとも１つを含む、請求項５に記載のハンドセット。
【請求項７】
オン状態とオフ状態との間で調整可能な電源スイッチを前記バッテリーパックがさらに含み、前記運転状態の少なくとも１つが前記電源スイッチの前記状態を含む、請求項５に記載のハンドセット。
【請求項８】
前記電源スイッチが前記バッテリーハウジングの内部に位置する、請求項７に記載のハンドセット。
【請求項９】
前記電源スイッチが前記バッテリーハウジングの外部からアクセス可能である、請求項８に記載のハンドセット。
【請求項１０】
前記バッテリーハウジングの外部からアクセス可能であり、オン状態とオフ状態との間で調整可能な電源スイッチを前記バッテリーパックがさらに含み、前記安全スイッチが、前記電源スイッチの前記状態に少なくとも部分的に基づいて、前記オン状態と前記オフ状態との間で調整可能である、請求項１に記載のハンドセット。
【請求項１１】
前記第１のリードが前記回路基板にはんだ付けされ、前記第２のリードが前記回路基板にはんだ付けされる、請求項１に記載のハンドセット。
【請求項１２】
エレクトロポレーション装置のハンドセットであって、
ハウジングと、
注入アセンブリと、
前記ハウジング内に少なくとも部分的に位置し、前記注入アセンブリと連動する回路基板と、
前記ハウジングから延在し、前記回路基板と電気通信する電極と、
バッテリーパックであって、
前記ハウジング内に少なくとも部分的に位置するバッテリーハウジングと、
前記バッテリーパックハウジング内に位置する複数のバッテリーセルと、
前記回路基板と電気通信する第１のパワーリードと、
前記複数のバッテリーセルと前記回路基板に接合され、かつその間に延在する第２のパワーリードと、
前記第１のパワーリードと前記複数のバッテリーセルとの間で操作可能に接合される安全スイッチであって、前記複数のバッテリーセルが前記第１のパワーリードと電気通信するオン状態と、前記複数のバッテリーセルが前記第１のパワーリードと電気通信していないオフ状態との間で調節可能である前記安全スイッチと、
前記安全スイッチと連動する制御装置であって、１つまたは複数の運転状態を検出するよう構成された前記制御装置であって、前記検出された運転状態に少なくとも部分的に基づいて、前記オン状態と前記オフ状態との間で前記安全スイッチを調節するよう構成された前記制御装置と、
を含む、前記バッテリーパックと、
を備える、ハンドセット。
【請求項１３】
前記電源スイッチが前記バッテリーハウジング内に位置する、請求項１２に記載のハンドセット。
【請求項１４】
前記バッテリーハウジング内に位置する電源スイッチを前記バッテリーパックがさらに含み、前記運転状態の少なくとも１つが前記電源スイッチの前記状態である、請求項１２に記載のハンドセット。
【請求項１５】
前記バッテリーハウジングが開口部を画定し、前記電源スイッチが前記開口部を介して前記バッテリーハウジングの外部からアクセス可能である、請求項１４に記載のハンドセット。
【請求項１６】
前記運転状態が、過昇温度状態、過電流状態、過電圧状態、及び不足電圧状態の少なくとも１つを含む、請求項１２に記載のハンドセット。
【請求項１７】
前記制御装置が前記バッテリーハウジング内に位置する、請求項１２に記載のハンドセット。
【請求項１８】
前記ハウジングが、上部と、前記上部から延在するハンドル部と、を含み、前記バッテリーパックが前記ハンドル部内に位置する、請求項１２に記載のハンドセット。
【請求項１９】
ベースステーションと、
前記ベースステーションに着脱可能に接合されたハンドセットであって、
ハウジングと、
注入アセンブリと、
前記ハウジング内に少なくとも部分的に位置し、前記注入アセンブリと連動する回路基板と、
１つまたは複数の電極がそこから延在する配列であって、前記回路基板と電気通信する前記配列と、
バッテリーパックであって、
前記ハウジング内に少なくとも部分的に位置するバッテリーハウジングと、
前記バッテリーパックハウジング内に位置する複数のバッテリーセルと、
前記回路基板と電気通信する第１のパワーリードと、
前記複数のバッテリーセルと前記回路基板に接合され、かつその間に延在する第２のパワーリードと、
前記バッテリーハウジング内に位置し、前記第１のパワーリードと前記複数のバッテリーセルとの間で操作可能に接合される安全スイッチであって、前記複数のバッテリーセルが前記第１のパワーリードと電気通信するオン状態と、前記複数のバッテリーセルが前記第１のパワーリードと電気通信していないオフ状態との間で調節可能である前記安全スイッチと、
前記バッテリーハウジング内に位置し、前記安全スイッチと連動する制御装置であって、１つまたは複数の運転状態を検出するよう構成された前記制御装置であって、前記検出された運転状態に少なくとも部分的に基づいて、前記オン状態と前記オフ状態との間で前記安全スイッチを調節するよう構成された前記制御装置と、
前記バッテリーハウジング内に位置する電源スイッチであって、前記運転状態の少なくとも１つが前記電源スイッチの前記状態を含む前記電源スイッチと、
を含む、前記バッテリーパックと、
を含む、前記ハンドセットと、を備える、エレクトロポレーション装置。
【請求項２０】
前記エレクトロポレーション装置の重心が前記バッテリーパックと垂直方向に整列するように、前記バッテリーハウジングが前記ハウジング内に位置する、請求項１９に記載のエレクトロポレーション装置。
【請求項２１】
前記ハンドセットが前記ベースステーションに接合される際に、前記ベースステーションが前記バッテリーパックと電気通信する、請求項１９に記載のエレクトロポレーション装置。
【発明の詳細な説明】
【技術分野】
【０００１】
関連出願の相互参照
本特許出願は、２０１５年１２月２２日出願の米国仮特許出願第６２／２７０，９９８号の優先権を主張する。上記に参照された出願は、参照することによって本明細書に援用される。
【背景技術】
【０００２】
本発明の実施形態は、バッテリーパックを有するエレクトロポレーション装置に関し、より詳細には、その中に電源スイッチが形成されたバッテリーパックを有するエレクトロポレーション装置に関する。
【発明の概要】
【０００３】
手持ち式エレクトロポレーション装置等の手持ち式医療装置は、動作電力を供給するためのバッテリーパックを含む。いくつかの手持ち式医療装置においてバッテリーパックは、電気損失を低減し、省スペース化を図るために、手持ち式医療装置内の回路基板に直接はんだ付けされる。バッテリーパックは製造プロセス中に、回路基板に直接はんだ付けされると瞬時に電力を供給することが可能である。瞬時に電力を供給する能力により、バッテリーパックが回路基板に取り付けられた際に、望ましくない運転状態（例えば、短絡）が引き起こされ得る。
【０００４】
従来では、バッテリーパックが回路基板への取り付け時に望ましくない運転状態を引き起こすことを防ぐために、電気部品（すなわち、抵抗器またはスイッチ）が回路基板に接合される。しかし、このような電気部品は物理的サイズが大きくなる傾向にあり、バッテリーパック及び手持ち式医療装置の性能に望ましくない影響を与え得る。
【０００５】
１つの態様において、エレクトロポレーション装置のハンドセットは、その中の容積を画定するハウジング、容積内に少なくとも部分的に位置する回路基板、ハウジングから延在し、回路基板と電気通信する電極、及びバッテリーパックを含む。バッテリーパックは、バッテリーパックハウジング、バッテリーパックハウジング内に位置する複数のバッテリーセル、回路基板と電気通信する第１のパワーリード、複数のバッテリーセルに接合され、回路基板と電気通信する第２のパワーリード、バッテリーパックハウジング内に位置し、第１のパワーリードと複数のバッテリーセルとの間で接合され、複数のバッテリーセルが第１のパワーリードと電気通信するオン状態と、複数のバッテリーセルが第１のパワーリードと電気通信していないオフ状態との間で調節可能である安全スイッチを含む。
【０００６】
別の態様において、エレクトロポレーション装置のハンドセットは、ハウジング、注入アセンブリ、ハウジング内に少なくとも部分的に位置し、注入アセンブリと連動する回路基板、ハウジングから延在し、回路基板と電気通信する電極、及びバッテリーパックを含む。バッテリーパックは、ハウジング内に少なくとも部分的に位置するバッテリーハウジング、バッテリーパックハウジング内に位置する複数のバッテリーセル、回路基板と電気通信する第１のパワーリード、複数のバッテリーセルと回路基板との間で接合され、延在する第２のパワーリード、第１のパワーリードと複数のバッテリーセルとの間で操作可能に接合され、複数のバッテリーセルが第１のパワーリードと電気通信するオン状態と、複数のバッテリーセルが第１のパワーリードと電気通信していないオフ状態との間で調節可能である安全スイッチ、及び、安全スイッチと連動し、１つまたは複数の運転状態を検出するよう構成され、検出された運転状態に少なくとも部分的に基づいて安全スイッチをオン状態とオフ状態との間で調節するよう構成される制御装置を含む。
【０００７】
さらに別の態様において、エレクトロポレーション装置は、ベースステーション、及び、ベースステーションに着脱可能に接合されたハンドセットを含む。ハンドセットは、ハウジング、注入アセンブリ、ハウジング内に少なくとも部分的に位置し、注入アセンブリと連動する回路基板、１つまたは複数の電極がそこから延在し、回路基板と電気通信する配列、及びバッテリーパックを含む。バッテリーパックは、ハウジング内に少なくとも部分的に位置するバッテリーハウジング、バッテリーパックハウジング内に位置する複数のバッテリーセル、回路基板と電気通信する第１のパワーリード、複数のバッテリーセルと回路基板との間で接合され、延在する第２のパワーリード、バッテリーハウジング内に位置し、第１のパワーリードと複数のバッテリーセルとの間で動作可能に接合され、複数のバッテリーセルが第１のパワーリードと電気通信するオン状態と、複数のバッテリーセルが第１のパワーリードと電気通信していないオフ状態との間で調節可能である安全スイッチ、及び、バッテリーハウジング内に位置し、安全スイッチと連動し、１つまたは複数の運転状態を検出するよう構成され、検出された運転状態に少なくとも部分的に基づいて安全スイッチをオン状態とオフ状態との間で調節するよう構成される制御装置、及び、バッテリーハウジング内に位置し、運転状態の少なくとも１つが電源スイッチの状態を含むような電源スイッチを含む。
【図面の簡単な説明】
【０００８】
【図１】ドッキング構成のハンドセット及びベースユニットを示す、エレクトロポレーションユニットの概略図である。
【図２】図１のバッテリーパックのブロック図である。
【図３】いくつかの実施形態による、図１のバッテリーパックの画像である。
【図４】いくつかの実施形態による、図１のバッテリーパックの画像である。
【発明を実施するための形態】
【０００９】
本発明の任意の実施形態を詳細に説明する前に、本発明が、その出願において、以下の説明に記載される、または以下の図面に示される、構成の詳細および構成要素の配置に限定されないことを理解されたい。本発明は、他の実施形態であることができ、様々な方法で実施または実行することができる。
【００１０】
本発明を実施するために、複数の他の構造部品が利用されてもよいことにも注意されたい。また、以下段落に説明するように、図示される特定の構成は、本発明の実施形態の例示を意図するものである。代替構成も可能である。
【００１１】
「ａｇｅｎｔ（薬剤）」とは、ポリペプチド、ポリヌクレオチド、小分子、またはそれらの任意の組み合わせを意味し得る。参照することによって本明細書に組み込まれるＰＣＴ／ＵＳ２０１４／０７０１８８において詳述されているように、薬剤は、抗体、その断片、その変異体、またはそれらの組み合わせをコードする組換え核酸配列であってもよい。「ａｇｅｎｔ（薬剤）」とは、ポリペプチド、ポリヌクレオチド、小分子、またはそれらの任意の組み合わせを含む組成物を意味し得る。参照のために本明細書に援用されるＰＣＴ／ＵＳ２０１４／０７０１８８において詳述されているように、組成物は、抗体、その断片、その変異体、またはそれらの組み合わせをコードする組換え核酸配列を含んでもよい。薬剤は例えば、水または緩衝剤内で配合されてもよい。緩衝剤は、例えば、ｓａｌｉｎｅ−ｓｏｄｉｕｍ  ｃｉｔｒａｔｅ（ＳＳＣ）またはリン酸緩衝生理食塩水（ＰＢＳ）であってもよい。緩衝剤のイオン含有量によって伝導性が増大し、結果として、標的組織内の電流が増大してもよい。配合されたポリヌクレオチドの濃度は、１μｇ／ｍｌと２０ｍｇ／ｍｌとの間であってもよい。配合されたポリヌクレオチドの濃度は、例えば、１μｇ／ｍｌ、１０μｇ／ｍｌ、２５μｇ／ｍｌ、５０μｇ／ｍｌ、１００μｇ／ｍｌ、２５０μｇ／ｍｌ、５００μｇ／ｍｌ、７５０μｇ／ｍｌ、１ｍｇ／ｍｌ、１０ｍｇ／ｍｌ、１５ｍｇ／ｍｌ、２０ｍｇ／ｍｌであってもよい。
【００１２】
本明細書で使用される「ｐｅｐｔｉｄｅ（ペプチド）」、「ｐｒｏｔｅｉｎ（タンパク質）」、または「ｐｏｌｙｐｅｐｔｉｄｅ（ポリペプチド）」は、アミノ酸の連結した配列を意味する可能性があり、天然、合成、または天然および合成の改変または組み合わせであり得る。
【００１３】
本明細書に使用される「ｐｏｌｙｎｕｃｌｅｏｔｉｄｅ（ポリヌクレオチド）」または「ｏｌｉｇｏｎｕｃｌｅｏｔｉｄｅ（オリゴヌクレオチド）」または「ｎｕｃｌｅｉｃ  ａｃｉｄ（核酸）」とは、共有結合で一緒に結合された少なくとも２つのヌクレオチドを意味する。ポリヌクレオチドは、一本鎖もしくは二本鎖であってもよく、または二本鎖および一本鎖の両方の配列の部分を含有し得る。ポリヌクレオチドは、ゲノム及びｃＤＮＡの両方のＤＮＡ、ＲＮＡ、またはハイブリッドであり得る。ポリヌクレオチドは、デオキシリボヌクレオチド及びリボヌクレオチドの組み合わせ、ならびにウラシル、アデニン、チミン、シトシン、グアニン、インノシン、キサンチン、ヒポキサンチン、イソシトシン、イソグアニン、ならびに合成または非天然型ヌクレオチド及びヌクレオシドを含む、塩基の組み合わせを含有し得る。ポリヌクレオチドは、ベクターであってもよい。ポリヌクレオチドは、化学合成法または組み換え法によって、得ることができる。
【００１４】
本明細書で使用される「ｖｅｃｔｏｒ（ベクター）」は、複製起点を含む核酸配列を意味する。ベクターは、ウイルスベクター、バクテリオファージ、細菌人工染色体、または酵母人工染色体であり得る。ベクターは、ＤＮＡまたはＲＮＡベクターであり得る。ベクターは、自己複製染色体外ベクターであってもよく、好ましくは、ＤＮＡプラスミドである。
【００１５】
本明細書に使用される「ｅｌｅｃｔｒｏｐｏｒａｔｉｏｎ（エレクトロポレーション）」（「ＥＰ」）とは、生体膜に可逆的な微細通路（孔）を誘導する電場パルスの使用を指し、それらの存在は、薬剤が、細胞膜の一方の側面から反対側に通過することを可能にする。
【００１６】
エレクトロポレーション工程の間、標的組織に接する電極及びエレクトロポレーション装置の他の要素には、必要なエレクトロポレーション効果を発生させるための電力が求められる。手持ち式エレクトロポレーション装置の例では、これらの要素を駆動させるために必要な電力が１つまたは複数のバッテリーパックによって供給され、その後、１つまたは複数のバッテリーパックは、１つまたは複数の比較的脆弱な回路基板と電気通信する。エレクトロポレーション装置の製造工程時に、電気的非効率性の回避に十分な接続を行って、バッテリーパックがエレクトロポレーション信号の生成に必要な比較的大きな電気負荷を満たすことを可能にするために、充電されたバッテリーパックを回路基板にはんだ付けしなければならない。さらに、バッテリーパックと回路基板との間の接続は、バッテリーパックが装置内に位置し、使用時の適切な重心及びエルゴノミクスを維持するために十分に小さくなければならない。
【００１７】
いくつかの従来のシステムでは、バッテリーパックの取り付け時に短絡を引き起こすことを防ぐために、電気部品（すなわち、抵抗器またはスイッチ）が回路基板に接合される。このような電気部品は、バッテリーパックがはんだ付けされる際に回路基板上で短絡が発生することを防止するために適切な抵抗性を付与するが、同時に、装置が必要なエレクトロポレーション信号を生成するために十分な電力を供給するというバッテリーパックの能力を妨げ得る非効率性を発生させる。他の従来のシステムでは、外部スイッチが回路基板に接合される。外部スイッチはバッテリーパックとは別体であり、バッテリーパックのリードの１つに直列に接続される。外部スイッチは、外部スイッチが閉じるまでバッテリーパックが回路基板と電気的に接続することを防ぐ。しかし、エレクトロポレーションに求められる電気負荷を負うために十分に強い外部スイッチは一般的に、使用するには過度に大きく、非効率である。外部スイッチは例えば、閉位置にある間でさえ、回路基板に供給される電圧を低減する電圧降下を引き起こす。さらに、このようなスイッチの収容が、エレクトロポレーション装置のエルゴノミクスと重心の両方に悪影響を与える。
【００１８】
本発明は、バッテリーパック１０を有するエレクトロポレーション装置１０２のハンドセット１００に関する。図１に例示する通り、エレクトロポレーション装置１０２は、ベースユニット１０６、及び、ベースユニット１０６に着脱可能にドッキングされてもよいハンドセット１００を含む。ベースユニット１０６は一般的に、テーブルまたは他の平面上に位置し、電気通信を行って、ハンドセット１００のバッテリーパック１０がドッキングまたは接合構成にある際に、その２つを充電することが可能である。
【００１９】
図１に例示する通り、エレクトロポレーション装置１０２のハンドセット１００は、ハウジング１０４、ハウジング１０４内に少なくとも部分的に位置する回路基板１０８、回路基板１０８と電気通信する電極配列１１２、及び、回路基板１０８と電気通信するバッテリーパック１０を含む。ハンドセット１００はまた、皮下注射針１１１を介して標的組織に薬剤を投与するための注入アセンブリ１１０を含む。ハンドセット１００は、回路基板１０８によって生成され、電極配列１１２によって標的組織に中継されるエレクトロポレーションパルスを利用して、哺乳類の標的組織（例えば、皮膚）の細胞への生体分子の導入を容易にする。エレクトロポレーション処理の投与時に、バッテリーパック１０は、電力を蓄え、ハンドセット１００に供給する。
【００２０】
図１に示すように、ハンドセット１００のハウジング１０４は、間に容積１２０を形成するように接合された２つの半部またはメンバ１１６から形成される。特に、メンバ１１６は、前端部１２８及び後端部１３２を備える上部１２４、ならびに、上部１２４から延在して遠位端部を形成するハンドル部１３６を有するピストル形状を形成する。ハンドル部１３６は、ハンドセット１００を把持した際のユーザの人間工学に基づく快適性を最大限に可能にする大きさ及び形状を有する。ハンドル部１３６はまた、ハンドル部１３６の交差部の近位に位置するトリガ１４０及び、前端部１２８付近の上部１２４を作用させながら、ユーザがハンドル部１３６を確実に把持できるようにして、ハンドセット１００の片手操作を可能にするために十分に小さな断面形状を有する。ハンドセット１００のハウジング１０４は、ピストル形状で例示されるが、ハウジング１０４はさらなる形状を含むか、または異なる把持スタイルに対応してもよいことを理解されたい。
【００２１】
例示される実施形態において、ハウジングメンバ１１６は、バッテリーパック１０をハウジング１０４のハンドル部１３６内で位置決めし、固定するための複数の実装点（図示せず）を含む。より具体的には、実装点は、ハンドセット１００の重心（ＣＧ）全体が上部１２４とハンドル部１３６との間の交差部の近位にあるように、バッテリーパック１０を位置決めする。他の実施形態においてハウジング１０４の上部１２４は、軸Ａに対して垂直に位置して重心（ＣＧ）を通過する軸Ｂがハウジング１０４のハンドル部１３６も通過するように、長手方向に貫通して延在する軸Ａを画定してもよい（図１を参照)。
【００２２】
ハンドセット１００の回路基板１０８は、ハウジング１０４の容積１２０内に少なくとも部分的に位置し、バッテリーパック１０、電極配列１１２、及びトリガ１４０と電気通信する。使用中に、回路基板１０８は、バッテリーパック１０から電力を受け、トリガ１４０からの入力に少なくとも部分的に基づいて、エレクトロポレーション信号を電極配列１１２に選択的に出力する。
【００２３】
電極配列１１２は、それぞれがハウジング１０４の上部１２４の前端部１２８から外側に延在する複数の電極１４２を含む。それぞれの電極１４２は、回路基板１０８と電気通信し、エレクトロポレーション信号を標的組織に伝達するよう構成される。
【００２４】
図２は、ハンドセット１００のバッテリーパック１０を例示する。バッテリーパック１０はとりわけ、バッテリーハウジング１２、複数のバッテリーセル１４、第１のパワーリード１６、第２のパワーリード１８、安全スイッチ２６を含む制御装置２０、制御装置２０と電気通信する電源スイッチ２２、及びサーミスタ２４を含む。図示の構造において、複数のバッテリーセル１４、制御装置２０、安全スイッチ２６、電源スイッチ２２、及びサーミスタ２４は全て、バッテリーハウジング１２内に配置される。電源スイッチ２２の追加により、使用中に外部スイッチまたはコネクタを追加する必要性なく、ユーザがバッテリーセル１４と第１のパワーリード１６との間の電流を手動で不通にすることが可能になる。このように、バッテリーパック１０は、ハウジング１２の外部に位置する回路に関連する電力損失を最小化しながら、制御回路または制御基板に損傷を与えることなく、ハンドセット１００のハウジング１０４内に取り付けられてもよい。
【００２５】
図２に例示する通り、バッテリーパック１０の複数のバッテリーセル１４は、直列に配線された２つのバッテリーセルを含む。しかし、代替的な実施形態においては、バッテリーパック１０が取り付けられる装置の特定の電力必要性に応じて、さらに多い、または少ないセルが存在してもよい。いくつかの実施形態において、複数のバッテリーセル１４は、例えば、リチウムイオン、鉛蓄、ニッケルカドミウム、ニッケル水素等の、１種類の充電式バッテリを含む。リチウムイオンバッテリは、従来の鉛蓄バッテリよりも、小型かつ軽量である。
【００２６】
バッテリーパック１０の第１及び第２のパワーリード１６及び１８は、バッテリーセル１４及び制御装置２０を、ハンドセット１００の回路基板１０８と電気的に接続する。図示の構造において、リード１６、１８は、回路基板１０８にはんだ付けされる。リード１６、１８を回路基板１０８に直接はんだ付けすることによって、解除可能コネクタ等の他の種類の電気的結合子よりも空間が節約される。さらに、はんだ付けは、コネクタまたは他の外部部品がバッテリーパック１０と回路基板１０８との間に位置する場合に発生し得るあらゆる電気損失を最小化する。
【００２７】
バッテリーパック１０のサーミスタ２４も、バッテリーハウジング１２内に位置する。サーミスタ２４は、使用中にバッテリーパック１０の温度を監視するように構成される。図２に示すように、サーミスタは、制御装置２０と電気通信する外部リードを含む。
【００２８】
図２に例示する通り、安全スイッチ２６は、制御装置２０からの入力に少なくとも部分的に基づいて、複数のバッテリーセル１４を第１のパワーリード１６から選択的に接続し、接続を解除する。安全スイッチ２６は、複数のバッテリーセル１４がパワーリード１６と電気通信する接続構成と、複数のバッテリーセル１４がパワーリード１６と電気通信しない非接続構成との間で調節可能である。安全スイッチ２６は、永久ヒューズ、リセッタブルヒューズ、及び／またはスイッチを含んでもよい。安全スイッチ２６と複数のバッテリーセル１４との間のワイヤートレースの長さは、外部ハードウェアまたはスイッチのそれよりも短い。短いワイヤートレースの長さは、操作時の電圧損失の影響（すなわち、ＩＲ電圧損失）及び騒音（すなわち、スイッチングノイズ）ならびにバッテリーパック１０の効率性を低減する。加えて、安全スイッチ２６は、バッテリーパック１０のバッテリーハウジング１２内に完全に位置し、占有面積が小さい。
【００２９】
図２に例示する通り、バッテリーパック１０の制御装置２０は、バッテリーパック１０の複数の運転状態を判定し、収集された情報に少なくとも部分的に基づいて安全スイッチ２６を操作するよう構成される。制御装置２０は、電子処理装置（例えば、マイクロプロセッサ、マイクロコントローラ、または別の好適なプログラミング可能装置）及びメモリを含んでもよい。いくつかの実施形態において、複数の運転状態はとりわけ、過昇温度状態、過電流状態、過電圧状態、不足電圧状態等を含んでもよい。
【００３０】
制御装置２０は、使用時に、複数の運転状態の検出に少なくとも部分的に基づいて安全スイッチ２６を操作し、バッテリーパック１０の望ましくない運転状態に起因する損傷を防止するよう構成される。例えば、制御装置２０は、過電流状態が検出された際に、複数のバッテリーセル１４の第１のパワーリード１６との接続を解除するように、安全スイッチ２６を操作してもよい。いくつかの実施形態において、制御装置２０は、制御装置２０に含まれる複数のセンサ（図示せず）を利用して、複数の運転状態を検出するよう構成される。複数のセンサは、とりわけ、電圧センサ、電流センサ、温度センサ等を含んでもよい。
【００３１】
図２〜４に例示するように、バッテリーパック１０の電源スイッチ２２は、制御装置２０と連動し、オン状態とオフ状態との間で手動にて調節可能である。制御装置２０は、使用時に、上述の他の運転状態と同様に電源スイッチ２２の位置を監視する。例えば、電源スイッチ２２がオフ状態にあると検出することにより、望ましくない運転状態が検出された時と同様の方法で、制御装置２０が安全スイッチ２６をトリガし、複数のバッテリーセル１４の第１のパワーリード１６との接続を解除する。このような実施形態において、制御装置２０は、電源スイッチ２２がオン状態にある際に、複数のバッテリーセル１４を第１のパワーリード１６に接続するように、安全スイッチ２６をさらに操作する。代替的な実施形態において、制御装置２０は、電源スイッチ２２がオン状態にある際に、複数のバッテリーセル１４の第１のパワーリード１６との接続を解除するように、安全スイッチ２６を操作する。このような代替的な実施形態において、制御装置２０は、電源スイッチ２２がオフ状態にある際に、複数のバッテリーセル１４を第１のパワーリード１６に接続するように、安全スイッチ２６をさらに操作する。
【００３２】
図４に例示する通り、安全スイッチ２６は、スイッチ２２が外部からアクセス可能であるように、バッテリーパック１０のハウジング１２内に配置される。例示する実施形態において、電源スイッチ２２は、ハウジング１２内に形成された孔２８を通じてアクセス可能である。ユーザは、例えば、小型のドライバまたはピンセットを使用して、電源スイッチ２２の位置を操作することによって、電源スイッチ２２の状態を変更することができる。他の実施形態において、電源スイッチ２２は、電気機械スイッチまたは磁気スイッチであってもよい。このような実施形態において、オン状態とオフ状態の間で電源スイッチ２２を切り替えるために、磁石が使用されてもよい。電源スイッチ２２が外部からアクセス可能であるため、電源スイッチ２２は、製造工程中にオフ状態に切り替えて、上記で説明したように、短絡を引き起こすことなく、バッテリーパック１０を回路基板上に取り付け可能にすることができる。取り付けが完了すると、電源スイッチ２２は、オン状態に切り替えて、バッテリーパック１０が回路基板に電力を供給することを可能にすることができる。
【００３３】
したがって、いくつかの回路基板を含む装置において、電源スイッチ２２は、最終的に回基板路構成を組み立てる前のバッテリーパック１０の取り付けを可能にする。取り付け工程においてバッテリーパック１０が先に取り付けられることを可能にすることにより、より多くの作業空間が提供され、取り付け工程がより容易かつ、より効率的になる。対照的に、最終的に回路基板構成が組み立てられた後に、最終的なステップとしてバッテリーパック１０を取り付けなければならない例では、利用可能な空間が限定されるため、バッテリーパック１０の取り付けが困難になり得る。
【００３４】
上述のように、電源スイッチ２２は、複数のバッテリーセル１４と直列に接続されないが、むしろ、安全スイッチ２６を間接的に操作するように、制御装置２０と通信する。このように、電源スイッチ２２は、バッテリーパックに通常見られるものに加えた付加的な運転状態として作用する。したがって、本発明の電源スイッチ２２は、バッテリーパック１０の性能に悪影響を及ぼすことなく、バッテリーパック１０全体の占有面積を小さく維持したまま、複数のバッテリーセル１４をリード１６、１８から取り外すための手動での方法をユーザに提供する。
【００３５】
したがって、本発明はとりわけ、バッテリーパック１０を制御するための電源スイッチ２２を提供する。本発明の様々な特徴および利点は、以下の請求項に記載されている。
【００３６】
特定の態様についての上述の説明は、当業者の範囲内の知識を適用することにより、他者が、様々な応用のために、このような特定の態様を、過度な実験をすることなく、本開示の一般概念から離脱することなく、容易に変更及び／または改造し得るという本発明の一般的な特徴を十分に公表することになる。したがって、かかる適合および修正は、本明細書に提示されている教示および指導に基づき、開示される態様の同等物の意味及び範囲内にあるように意図される。本明細書の表現または用語は制限ではなく説明を目的としており、ゆえに本明細書のこの用語または表現は、当業者によって教示および指導に照らして解釈されると理解されるものとする。
【００３７】
本開示の広がりや範囲は、上記の例示的な態様のいずれによっても制限されるべきではなく、以下の特許請求の範囲やそれらの等価物に従ってのみ定義されるべきである。
【００３８】
本出願に引用された公開文献、特許、特許出願、及び／または他の文献は全て、あたかも各個別の公開文献、特許、特許出願、及び／または他の文献があらゆる目的のために参照により援用されるように個別に示されるのと同じ範囲まで、あらゆる目的のために、それらの全体において参照により援用される。
【００３９】
万全を期すために、本発明の様々な態様は、以下の番号を付与された条項において詳細に記載される。
【００４０】
条項１．エレクトロポレーション装置のハンドセットであって、
その中の容積を画定するハウジングと、
前記容積内に少なくとも部分的に位置する回路基板と、
前記ハウジングから延在し、前記回路基板と電気通信する電極と、
バッテリーパックであって、
バッテリーパックハウジングと、
前記バッテリーパックハウジング内に位置する複数のバッテリーセルと、前記回路基板と電気通信する第１のパワーリードと、
前記複数のバッテリーセルに接合され、前記回路基板と電気通信する第２のパワーリードと、前記バッテリーパックハウジング内に位置し、前記第１のパワーリードと前記複数のバッテリーセルとの間で接合される安全スイッチであって、前記複数のバッテリーセルが前記第１のパワーリードと電気通信するオン状態と、前記複数のバッテリーセルが前記第１のパワーリードと電気通信していないオフ状態との間で調節可能である前記安全スイッチと、
を含む、前記バッテリーパックと、
を備える、ハンドセット。
【００４１】
条項２．前記バッテリーパックが前記容積内に少なくとも部分的に位置する、条項１に記載のハンドセット。
【００４２】
条項３．前記ハウジングが、上部と、前記上部から延在するハンドル部と、を含み、前記バッテリーパックが前記ハウジングの前記ハンドル部内に少なくとも部分的に位置する、条項１に記載のハンドセット。
【００４３】
条項４．前記ハウジングが、上部と、前記上部から延在するハンドル部と、を含み、前記エレクトロポレーション装置の重心が前記上部と前記ハンドル部との交差部の近位に位置する、条項１に記載のハンドセット。
【００４４】
条項５．複数の運転状態を検出するよう構成された制御装置を前記バッテリーパックがさらに含み、前記制御装置が、前記運転状態に少なくとも部分的に基づいて、オン状態とオフ状態との間で前記安全スイッチを調節する、条項１に記載のハンドセット。
【００４５】
条項６．前記運転状態が、過昇温度状態、過電流状態、過電圧状態、及び不足電圧状態の少なくとも１つを含む、条項５に記載のハンドセット。
【００４６】
条項７．前記オン状態と前記オフ状態との間で調整可能な電源スイッチを前記バッテリーパックがさらに含み、前記運転状態の少なくとも１つが前記電源スイッチの前記状態を含む、条項５に記載のハンドセット。
【００４７】
条項８．前記電源スイッチが前記バッテリーハウジングの内部に位置する、条項７に記載のハンドセット。
【００４８】
条項９．前記電源スイッチが前記バッテリーハウジングの外部からアクセス可能である、条項８に記載のハンドセット。
【００４９】
条項１０．前記バッテリーハウジングの外部からアクセス可能であり、オン状態とオフ状態との間で調整可能な電源スイッチを前記バッテリーパックがさらに含み、前記安全スイッチが、前記電源スイッチの前記状態に少なくとも部分的に基づいて、前記オン状態と前記オフ状態との間で調整可能である、条項１に記載のハンドセット。
【００５０】
条項１１．前記第１のリードが前記回路基板にはんだ付けされ、前記第２のリードが前記回路基板にはんだ付けされる、条項１に記載のハンドセット。
【００５１】
条項１２．エレクトロポレーション装置のハンドセットであって、
ハウジングと、
注入アセンブリと、
前記ハウジング内に少なくとも部分的に位置し、前記注入アセンブリと連動する回路基板と、
前記ハウジングから延在し、前記回路基板と電気通信する電極と、
バッテリーパックであって、
前記ハウジング内に少なくとも部分的に位置するバッテリーハウジングと、
前記バッテリーパックハウジング内に位置する複数のバッテリーセルと、
前記回路基板と電気通信する第１のパワーリードと、
前記複数のバッテリーセルと前記回路基板に接合され、かつその間に延在する第２のパワーリードと、
前記第１のパワーリードと前記複数のバッテリーセルとの間で操作可能に接合される安全スイッチであって、前記複数のバッテリーセルが前記第１のパワーリードと電気通信するオン状態と、前記複数のバッテリーセルが前記第１のパワーリードと電気通信していないオフ状態との間で調節可能である前記安全スイッチと、
前記安全スイッチと連動する制御装置であって、１つまたは複数の運転状態を検出するよう構成された前記制御装置であって、前記検出された運転状態に少なくとも部分的に基づいて、前記オン状態と前記オフ状態との間で前記安全スイッチを調節するよう構成された前記制御装置と、
を含む、前記バッテリーパックと、
を備える、ハンドセット。
【００５２】
条項１３．前記安全スイッチが前記バッテリーハウジング内に位置する、条項１２に記載のハンドセット。
【００５３】
条項１４．前記バッテリーハウジング内に位置する電源スイッチを前記バッテリーパックがさらに含み、前記運転状態の少なくとも１つが前記電源スイッチの前記状態である、条項１２に記載のハンドセット。
【００５４】
条項１５．前記バッテリーハウジングが開口部を画定し、前記電源スイッチが前記開口部を介して前記バッテリーハウジングの外部からアクセス可能である、条項１４に記載のハンドセット。
【００５５】
条項１６．前記運転状態が、過昇温度状態、過電流状態、過電圧状態、及び不足電圧状態の少なくとも１つを含む、条項１２に記載のハンドセット。
【００５６】
条項１７．前記制御装置が前記バッテリーハウジング内に位置する、条項１２に記載のハンドセット。
【００５７】
条項１８．前記ハウジングが、上部と、前記上部から延在するハンドル部と、を含み、前記バッテリーパックが前記ハンドル部内に位置する、条項１２に記載のハンドセット。
【００５８】
条項１９．
ベースステーションと、
前記ベースステーションに着脱可能に接合されたハンドセットであって、
ハウジングと、
注入アセンブリと、
前記ハウジング内に少なくとも部分的に位置し、前記注入アセンブリと連動する回路基板と、
１つまたは複数の電極がそこから延在する配列であって、前記回路基板と電気通信する前記配列と、
バッテリーパックであって、
前記ハウジング内に少なくとも部分的に位置するバッテリーハウジングと、
前記バッテリーパックハウジング内に位置する複数のバッテリーセルと、前記回路基板と電気通信する第１のパワーリードと、
前記複数のバッテリーセルと前記回路基板に接合され、かつその間に延在する第２のパワーリードと、
前記バッテリーハウジング内に位置し、前記第１のパワーリードと前記複数のバッテリーセルとの間で操作可能に接合される安全スイッチであって、前記複数のバッテリーセルが前記第１のパワーリードと電気通信するオン状態と、前記複数のバッテリーセルが前記第１のパワーリードと電気通信していないオフ状態との間で調節可能である前記安全スイッチと、
前記バッテリーハウジング内に位置し、前記安全スイッチと連動する制御装置であって、１つまたは複数の運転状態を検出するよう構成された前記制御装置であって、前記検出された運転状態に少なくとも部分的に基づいて、前記オン状態と前記オフ状態との間で前記安全スイッチを調節するよう構成された前記制御装置と、
前記バッテリーハウジング内に位置する電源スイッチであって、前記運転状態の少なくとも１つが前記電源スイッチの前記状態を含む前記電源スイッチと、
を含む、前記バッテリーパックと、
を含む、前記ハンドセットと、を備える、エレクトロポレーション装置。
【００５９】
条項２０．前記エレクトロポレーション装置の重心が前記バッテリーパックと垂直方向に整列するように、前記バッテリーハウジングが前記ハウジング内に位置する、条項１９に記載のエレクトロポレーション装置。
【００６０】
条項２１．前記ハンドセットが前記ベースステーションに接合される際に、前記ベースステーションが前記バッテリーパックと電気通信する、条項１９に記載のエレクトロポレーション装置。
【図１】
2019506921.tif 000003
【図２】
2019506921.tif 000004
【図３】
2019506921.tif 000005
【図４】
2019506921.tif 000006
【国際調査報告】
2019506921.tif 000007